(57)【要約】【課題】処方コンプライアンスを改善できる、経口薬の改善された梱包容器および受け渡し方法を提供する。【解決手段】経口薬を保持する梱包容器と梱包容器から経口薬を受け渡す方法である。梱包容器（１０）は、カバー（３０）と、少なくとも１つの経口薬（２５）を保持するようにそれぞれ構成された小部屋（１４）を有する本体（１２）と、を含む。小部屋（１４）は、本体（１２）上に円形配置を有する。本方法は、小部屋（１４）それぞれへの分離した開口（５８）にアクセスするために本体（１２）からカバー（３０）を少なくとも部分的に取り外すステップを含んでもよい。カバー（３０）を取り外すステップに応じて、梱包容器がなくなるように小部屋（１４）から全ての経口薬（２５）が取り出されてもよい。【選択図】図１
2012250770.tif 000002
【特許請求の範囲】
【請求項１】
複数の経口薬を保持するための梱包容器であって、
少なくとも１つの前記経口薬を保持するようにそれぞれ構成される複数の小部屋を含む本体であって、前記小部屋は、前記本体上の参照点に対して円形配置を有する、本体と、    前記小部屋内の前記経口薬を封入するために前記本体に取り付けられるカバーであって、前記小部屋にアクセスするために前記本体から少なくとも部分的に取り外し可能なカバーと、
を備える梱包容器。
【請求項２】
前記小部屋それぞれは、前記円形配置を画定する円の複数の扇形それぞれ内に位置することを特徴とする請求項１に記載の梱包容器。
【請求項３】
前記扇形は、略同一の中心角を有することを特徴とする請求項２に記載の梱包容器。
【請求項４】
前記カバーは、前記本体に取り付けられる第１の表面、前記第１の表面と前記小部屋との間の第２の表面、および、前記第１の表面上のデータ欄を含み、
前記データ欄は人間が解読できるテキストから成ることを特徴とする請求項１に記載の梱包容器。
【請求項５】
前記本体は、複数の独自のしるしを備え、前記独自のしるしそれぞれは前記小部屋の１つの上にマークされ、また、前記第２の表面上の前記データ欄の前記人間が解読できるテキストは、前記小部屋それぞれ内の前記経口薬の英数字の識別子と前記１つにしるしが関連することを特徴とする請求項４に記載の梱包容器。
【請求項６】
複数のしるしであって、しるしそれぞれが前記小部屋の１つの上にマークされ、前記しるしは、各小部屋が前記しるしの対応するものによって独自に識別されるように選択される、複数のしるしをさらに備えることを特徴とする請求項１に記載の梱包容器。  
【請求項７】
前記小部屋それぞれは、第１の側壁、第１のコーナーで前記第１の側壁に結合される第２の側壁、および、第２のコーナーで前記第１の側壁に結合される第３の側壁を有することを特徴とする請求項１に記載の梱包容器。
【請求項８】
前記第３の側壁は、第３のコーナーで前記第２の側壁に結合されて前記小部屋それぞれ内への開口を確定し、前記第１、第２、および第３の側壁は、三角形配置を有し、これにより前記開口は三角形であり、かつ前記開口は前記本体の中心に向かう方向において狭くなることを特徴とする請求項７に記載の梱包容器。
【請求項９】
前記小部屋のそれぞれの前記第１のコーナーは、前記円形配置を確定する円上の参照点として配置されることを特徴とする請求項７に記載の梱包容器。
【請求項１０】
前記本体は表面を有し、前記カバーは前記本体の前記表面に取り付けられる表面を有し、また、前記第１、第２、および第３側壁は前記カバーの前記表面から離れる方向に突出することを特徴とする請求項７に記載の梱包容器。
【請求項１１】
前記本体は、外周と前記外周に沿って延在する肩部とを含み、前記肩部は、前記本体の前記外周と前記小部屋との間に配置され、また、前記カバーは、前記本体の前記肩部に取り付けられることを特徴とする請求項１に記載の梱包容器。
【請求項１２】
前記本体は、中心領域と、前記中心領域の中心を中心に異なる角位置で前記本体の前記中心領域から半径方向に延在する複数のストラップと、を含み、前記ストリップそれぞれは、隣接する前記小部屋の対間に配置され、また、前記カバーは、前記ストリップと、前記本体の前記中心領域とにさらに取り付けられることを特徴とする請求項１１に記載の梱包容器。
【請求項１３】
前記本体の前記肩部と、前記カバーの第１の表面との間のコーティングであって、前記本体の前記肩部と、前記カバーの前記第１の表面との間に開放可能な取り付けをもたらすコーティングをさらに備えることを特徴とする請求項１１に記載の梱包容器。
【請求項１４】
前記コーティングは、粘着剤から成り、前記小部屋それぞれは、前記カバーの前記第１の表面によって覆われた開口を含み、また、前記コーティングは、粘着性を低減するように変更された複数の領域を含み、前記領域それぞれは、前記小部屋それぞれへの開口に沿って配置されることを特徴とする請求項１３に記載の梱包容器。
【請求項１５】
前記領域それぞれと、前記小部屋それぞれに対応する前記開口は、適合する幾何学的形状を有し、前記領域は、前記小部屋の前記円形配置と適合する円形配置を有することを特徴とする請求項１４に記載の梱包容器。
【請求項１６】
前記カバーは、前記第１の表面と、人間が解読できるテキストを含む前記第２の表面上のデータ欄と、によって前記コーティングから分離した第２の表面を含むことを特徴とする請求項１３に記載の梱包容器。
【請求項１７】
前記本体は、前記外周に沿って配置された複数のコーナーを含み、前記コーナーそれぞれは、前記第１の表面の表面積を縮小する機能のパターンを含み、これにより、前記コーティングおよび前記カバーは、前記コーナーそれぞれにおいて減少した粘着性を有することを特徴とする請求項１３に記載の梱包容器。
【請求項１８】
前記コーティングは、粘着剤から成り、前記小部屋それぞれは、前記カバーの前記第１の表面によって覆われた開口を含み、前記コーティングは、粘着性が実質的にない複数の領域を含むようにパターンにおいて塗布され、また、前記領域それぞれは、前記小部屋それぞれへの前記開口に沿って配置されることを特徴とする請求項１３に記載の梱包領域。
【請求項１９】
前記領域それぞれと、前記小部屋それぞれに対応する前記開口とは、適合する幾何学的形状を有し、また、前記領域は、前記小部屋の前記円形配置と適合する円形配置を有することを特徴とする請求項１８に記載の梱包容器。
【請求項２０】
前記コーティングは、粘着剤から成り、前記小部屋それぞれは、前記カバーの前記第１の表面によって覆われた開口を含み、前記カバーは、前記コーティングを覆う複数のセクションを有する裏地を含み、また、前記セクションそれぞれは、前記小部屋それぞれへの前記開口に沿って配置されることを特徴とする請求項１３に記載の梱包領域。
【請求項２１】
前記セクションそれぞれと、前記小部屋それぞれに対応する前記開口とは、適合する幾何学的形状を有し、また、前記セクションは、前記小部屋の前記円形配置と適合する円形配置を有することを特徴とする請求項２０に記載の梱包容器。
【請求項２２】
前記本体は、長方形の幾何学的形状を有することを特徴とする請求項１に記載の梱包容器。
【請求項２３】
前記カバーには、破線または弱める線がないことを特徴とする請求項１に記載の梱包容器。
【請求項２４】
前記本体は、前記本体の回転配向の確立を可能にするように構成されたインデックス機能を含むことを特徴とする請求項２４に記載の梱包容器。
【請求項２５】
前記本体は平面を含み、前記小部屋は前記平面から突出し、また、前記インデックス機能は、前記小部屋と同一の方向において前記平面から突出するポストであることを特徴とする請求項２４に記載の梱包容器。
【請求項２６】
前記小部屋の少なくとも１つは、側壁と、前記小部屋の内部空間内に前記側壁から突出する入れ子機能とを含むことを特徴とする請求項１に記載の梱包容器。
【請求項２７】
請求項１に記載の前記梱包容器と、前記経口薬とを備えるアセンブリ。
【請求項２８】
前記経口薬それぞれが１回の単位用量であることを特徴とする請求項２７に記載のアセンブリ。
【請求項２９】
請求項１に記載の複数の梱包容器と、垂直なスタックにおいて前記梱包容器を保持するように構成された内部空間を有するカートンと、前記梱包容器を取り出すための前記内部空間へのアクセスを提供するスロットと、前記スロットを覆う取り外し可能スロットカバーと、を備えるアセンブリ。
【請求項３０】
本体を有する梱包容器から複数の経口薬を受け渡す方法であって、前記本体は、前記経口薬を保持するための複数の小部屋と、前記小部屋内の前記経口薬を封入するために前記本体に取り付けられてカバーと、を有し、
前記小部屋それぞれへの分離した開口にアクセスするために前記本体から前記カバーを少なくとも部分的に取り外すステップと、
前記本体から前記カバーを少なくとも部分的に取り外すステップに応じて、前記梱包容器がなくなるように前記小部屋から全ての前記経口薬を取り出すステップと、
を備える方法。
【請求項３１】
前記カバーは、損傷を受けることなく一体で本体から少なくとも部分的に取り外されることを特徴とする請求項３０に記載の方法。
【請求項３２】
前記小部屋それぞれは１回分の単位容量の前記経口薬を保持することを特徴とする請求項３０に記載の方法。
【請求項３３】
同一の経口薬を含む追加的な梱包容器を含むカートン内に前記梱包容器を含むステップをさらに備えることを特徴とする請求項３０に記載の方法。
【請求項３４】
前記コンポ容器には、投薬パスに関する日時がそれぞれにラベルされることを特徴とする請求項３３に記載の方法。
【請求項３５】
１つ以上の前記経口薬を患者に受け渡さない指示を受けるステップをさらに備えることを特徴とする請求項３０に記載の方法。
【請求項３６】
前記小部屋それぞれへの分離した開口にアクセスするために前記本体から前記カバーを少なくとも部分的に取り外す前記ステップは、
前記本体のコーナーで前記カバーの一部を持ち上げて、コーナー・プル・トップを画定するステップと、
効果的な方法で前記コーナー・プル・トップを使用して前記カバーに主動力をかけて、前記本体から前記カバーを剥がし、前記小部屋それぞれに対して前記開口を露呈するステップ、
をさらに備えることを特徴とする請求項３０に記載の方法。
【請求項３７】
コーナー・プル・トップは、片手の１つ以上の指を使って握られ、
反対の手で前記小部屋の前記本体を掴むステップをさらに備える請求項３６に記載の方法。
【請求項３８】
前記小部屋それぞれへの分離した開口にアクセスするために前記本体から前記カバーを少なくとも部分的に取り外す前記ステップは、前記本体から前記カバーを取り除くステップを備えることを特徴とする請求項３０に記載の方法。
【発明の詳細な説明】
【技術分野】
【０００１】
本発明は、一般的に、経口薬の梱包容器と、梱包容器から患者に経口薬を受け渡す方法に関する。
【０００２】
処方および非処方日常薬は、従来の薬ビンおよびブリスターパックを含む様々な種類の梱包に含まれ患者に分配されてもよい。多くの処方薬投与計画において、複合的な経口薬は、毎日のコースに亘って異なる時間に患者に継続的に受け渡される。毎日特定の時間に複合的な異なるビンから経口薬を取り出す必要性は、患者、特に高齢の患者を困惑し得る。患者の困惑は、患者が治療指示に従うのを失敗した場合、部分的な処方ノンコンプライアンスまたは、完全な処方ノンコンプライアンスに寄与するかもしれない。
【発明の概要】
【発明が解決しようとする課題】
【０００３】
処方コンプライアンスを改善できる、経口薬の改善された梱包容器および受け渡し方法が必要とされる。
【発明の効果】
【０００４】
本発明の実施形態では、梱包容器は、複数の経口薬を保持するために提供される。梱包容器は、カバーと、少なくとも１つの経口薬を保持するようにそれぞれ構成され複数の小部屋を有する本体とを含む。小部屋は、本体上の所定点に対して円形配置を有する。
【０００５】
本発明の別の実施形態では、経口薬を保持する小部屋を有する本体と、小部屋内に経口薬を封入するために本体に取り付けられたカバーと、を有する梱包容器から複数の経口薬を受け渡すための方法が提供される。本方法は、小部屋それぞれへの分離した開口にアクセスするために本体からカバーを少なくとも部分的に取り外すステップを含んでもよい。カバーを取り外すステップに応じて、梱包容器がなくなるように小部屋から全ての経口薬（が取り出されてもよい。
【図面の簡単な説明】
【０００６】
本明細書に組み込まれ、その一部を成す添付図が、上述の発明の概要と下記の実施形態の詳細な説明と一緒に本願の様々な実施形態を示し、本発明の実施形態を説明するのに役立つ。
【０００７】
【図１】本願の実施形態における梱包容器の上面斜視分解図である。
【図１Ａ】図１に示す梱包容器の小部屋の１つの透視図である。
【図１Ｂ】図１の梱包容器の本体の上面図である。
【図２】図１の梱包容器の底面斜視分解図である。
【図３】図１および図２に示す梱包容器のカバーの上面の上面図である。
【図４】図３のカバーの底面の底面図である。
【図４Ａ】図４の線４Ａ−４Ａに概ね沿った断面図である。
【図４Ｂ】図４と同じ底面図であり、リリース紙の三角形セクションは、別の実施形態においてカバーのコーナー上に位置する。
【図５】梱包容器のカバーおよび本体が一緒に取り付けられた、図１と同様の上面斜視図である。
【図６】梱包容器のカバーおよび本体が一緒に取り付けられた、図２と同様の底面斜視図である。
【図７】経口薬を小部屋内に配置し、本体にカバーを取り付けた後の梱包容器の上面斜視図である。
【図８】梱包容器から患者へ経口薬を受け渡す前に、本体からカバーを少なくとも部分的に取り外すところを図示する、梱包容器の上面斜視図である。
【図９】図１〜図８の梱包容器の一群を分配するために使用されてもよいカートンの斜視図である。
【図１０】図９のカートンと同様であり、それぞれが異なる投薬パス（に関連するカートン一式の斜視図である。
【図１１】直立され梱包容器が充填される前の折り畳まれていない状態でのブランクとしての、図８のカートンの平面図である。
【発明を実施するための形態】
【０００８】
図１、図１Ｂ、および図２の参照と、本発明の実施形態によると、経口薬梱包容器１０は、複数の小部屋１４、１６、１８、２０、２２、２４、２６、２８と、カバー３０の形状の蓋シートとを有する本体１２を含む。カバー３０は、小部屋１４、１６、１８、２０、２２、２４、２６、２８を密封して閉じるよう本体１２に結合される。各小部屋１４、１６、１８、２０、２２、２４、２６、２８は、経口薬２５の単位容量を受容する（図８）。本体１２、カバー２０、および経口薬２５を含むアセンブリ（図５およの図６）は、環境汚染物の進入を防ぐように密封され、患者への次の分配を用意した状態である梱包容器を形成する。
【０００９】
各経口薬２５は、経口薬として分類され、頓服薬として分類され得る摂取可能な物質の任意のタイプであってよい。各経口薬２５から成る摂取可能な物質は、患者の生理機能を修正し、処方箋またはカウンタ越しに分配される、１つ以上の調剤、薬剤、１つ以上の合成物、１つ以上の医薬品、またはビタミン剤、１つ以上のミネラル・サプリメント、および、１つ以上のプラシーボを、単体または組み合せで含み得る。経口薬２５は、ピル、タブレット、カプセル、ジェルカプセル、固体などの様々な投与形態で提供される。単位容量は、１回の投与で患者に投与される摂取できる物質の量である。
【００１０】
小部屋１４、１６、１８、２０、２２、２４、２６、２８は、本体１２の中央領域３２を中心に配置された連続した空洞のように構成され、例示的実施形態では断面がくさび型である。小部屋１４、１６、１８、２０、２２、２４、２６、２８は、中央領域３２から本体１２の周囲３３に向けて僅に外向きに、半径方向にずらされている。本体１２は、通常符号４２によって示される、本体１２の材料内に形成される非平面構造から成る表面積縮小機能のパターンによって変更される複数のコーナー３４、３６、３８、４０を含む。小部屋１４、１６、１８、２０、２２、２４、２６、２８は、本体１２の外周３３の内側に内接する多角形肩部４４に包囲まれる。中央領域３２から肩部４４へ半径方向に延在するストリップ４６は、隣接する二組の小部屋１４、１６、１８、２０、２２、２４、２６、２８の間に存在する。各ストリップ４６の中心線は、中央領域３２の中心４５に至るように延在された場合、中心４５で交差してもよい。肩部４４は、小部屋１４、１６、１８、２０、２２、２４、２６、２８と、本体１２の外周３３との間に配置される。コーナー３４、３６、３８、４０は、肩部４４と、本体１２の外周３３との間に配置される。
【００１１】
中央領域３２の表面、肩部４４、およびストリップ４６は、本体１２の表面４８を集合的に画定する共通の平面に配置される。領域３２によって画定された表面４８、肩部４４、ストリップ４６には、分割線、弱化線、穿孔した継ぎ目、および同類物がない。この構造的な省略は、個々の小部屋１４、１６、１８、２０、２２、２４、２６、２８が、本体１２から切り離されることを意図しないことから許される。
【００１２】
表面積縮小機能４２の存在により、コーナー３４、３６、３８、４０における本体１２の各表面積の一部は、表面４８の面に同様に含まれ、コーナー３４、３６、３８、４０の  本体１２の各表面積の他の部分は、表面４８の面内に含まれない。表面積縮小機能４２の存在からコーナー３４、３６、３８、４０における表面積の効果的な縮小は、コーナー３４、３６、３８、４０で本体１２へのカバー３０の粘着力を小さくするように機能する。減少された粘着力は、コーナー３４、３６、３８、４０それぞれに位置するカバー３０の一部が容易に離れて持ち上げられ、カバー３０に残部と隣接する肩部４４の一部との間のより強い粘着結合を瞬時に妥協することなしに、コーナー・プル・タブ３９を形成する。別の実施形態では、全てのコーナー３４、３６、３８、４０が表面積縮小機能４２を含まなくてもよい。
【００１３】
梱包容器１０の本体１２は、表面４８に対向し、表面積縮小機能４２の不在を除いて表面４８を反映する表面４９を含む。表面４８、４９は、本体１２の外周３３に周りに延在する端部で収束する。表面４８、４９間の距離は、本体１２の厚みを定義し、本体１２へ目標とする剛性度または半剛性度を添えるように決められる。
【００１４】
図１Ｂに最良に示すように、小部屋１４、１６、１８、２０、２２、２４、２６、２８は、本体１２上で位置または場所の円形配置を有し、参照円５５の周りに配置される。特に、各小部屋１４、１６、１８、２０、２２、２４、２６、２８の参照点、または各小部屋１４、１６、１８、２０、２２、２４、２６、２８に付随する円弧は、参照円５５の周囲上に配置されてもよい。参照円５５の中心は、領域３２の中心４５と、または、本体１２の領域３２内の別の点と一致してもよい。参照点または円弧は、各小部屋１４、１６、１８、２０、２２、２４、２６、２８上で表面上同一の場所であってよい。例示的実施形態では、各小部屋１４、１６、１８、２０、２２、２４、２６、２８の参照円５５の参照点は、コーナー６０（図１Ａ）が、全てのコーナー６０が同一の半径で参照円５５の中心から等距離で離間するように、端部６５（図１Ａ）と交差する位置である。しかしながら、別の参照円弧または参照点（例えば、各小部屋１４、１６、１８、２０、２２、２４、２６、２８に付随する開口５８（図１Ａ）への重心）が、参照円５５の直径が大きくなるように決定されてもよい。１つ以上の小部屋１４、１６、１８、２０、２２、２４、２６、２８は、円形配置が維持される限り、参照円５５の中心に対して、異なる半径位置を有してもよい。
【００１５】
一般的に、円形配置を特徴とする参照円５５は、複数の部分に分割されてもよい。各小部屋１４、１６、１８、２０、２２、２４、２６、２８は、参照円５５の中心を頂点として有する中心角を特徴とする一意的な部分内に位置してもよい。  各小部屋１４、１６、１８、２０、２２、２４、２６、２８の中心角を画定する両側は、隣接する一対のストリップ４６を通過して延在してもよい。ある実施形態では、小部屋１４、１６、１８、２０、２２、２４、２６、２８が均一に間隔を開け、円形配置で分配されるように、一意的な部分それぞれの中心角が同一（例えば４５°）である。
【００１６】
表面４８に垂直な視点から、本体１２の外周３３は矩形の幾何学的図形を有する、または、特定の実施形態では、略同一の長さの外周３３の側端を有する正方形であってもよい。ある実施形態では、本体１２は、約４インチの長さの側端を有する正方形の幾何学的図形を有する。このコンパクトなサイズは、患者または看護人が組み立てられ充填された梱包容器１０をほとんどのシャツやブラウスのポケットに便利に入れること可能にする。  
【００１７】
梱包容器１０の本体１２は、例示的実施形態ではコーナー３４付近に配置されるブラインドくぼみポストを表現する形のインデックス機能５１を有してもよい。または、インデックス機能５１は、別のコーナー３６、３８、４０に位置してもよい。インデックス機能４１は、小部屋１４、１６、１８、２０、２２、２４、２６、２８と同一の方向に表面４８の面から突出する。インデックス機能５１は、例えば、経口薬２５を充填するために梱包容器１０を保持するために使用される道具に対する、本体１２の回転配向に利用されてもよい。特定の例では、梱包容器１０の一連の本体１２は、小部屋１４が、既知の場所に持続的に位置するように回転配向されてもよい。このようにすると、複数の異なる梱包容器１０の角度配向が、充填中に所定の固定位置で小部屋１４、１６、１８、２０、２２、２４、２６、２８を配置するために再現可能に確立され得る。
【００１８】
図１Ａに最良に示すように、小部屋１４、１６、１８、２０、２２、２４、２６、２８を代表する小部屋１４は、底壁５０と、底壁５０に向けて表面４８から突出する側壁５２、５４、５６とを含む。側壁５２は、コーナー６０で側壁５４に物理的に結合または接続し、側壁５６は、コーナー６２で側壁５２に物理的に結合または接続し、かつ、側壁５６は、コーナー６４で側壁５４に物理的に結合または接続する。同様に、側壁５２、５４、５６は、対応するコーナーに沿って底壁５０に結合する。側壁５２、５４は、本体１２の外周３３に向けてストリップ４６に平行に延在する。側壁５２および側壁５４は、略同一の長さを有してもよく、かつ、各側壁５２、５４は、側壁５６より長くてもよい。
【００１９】
小部屋１４の底壁５０および側壁５２、５４、５６は、小部屋１４内に置かれる経口薬２５と接触する内面６３と。壁５０、５２、５４、５６の厚みによって経口薬２５から分離される外面６９とを有する。端部６５で表面４８と結合する内面６３は、端部６５にわたって表面４８に連続する。端部６５は、中心４５に対して内側の半径上の中央領域３２と、外側の半径上の肩部４４とによって画定され、近接する一対のストリップ４６によって周囲が画定される。表面４９に結合する外面６９は、表面４９に連続する。小部屋１４の内面６３は、表面４８の面に対して凹み、小部屋１４の外面６９は、表面４９の面から突出する。
【００２０】
コーナー６０、６２、６４は、表面６３上では内側コーナーであり、表面６９上では外側コーナーである。コーナー６０は、コーナー６２、６４より中央領域３２により近くに配置される。コーナー６０は、側壁５２の長さだけコーナー６２から離間し、側壁５４の長さだけコーナー６４から離間する。コーナー６２、６４は、コーナー６０より外周３３により近くに配置され、コーナー６０から側壁５４、５６の長さだけ表面上離間する。コーナー６０は、例えば４５°といった側壁５２、５４間の含まれる角または内角を特徴とする。他のコーナー６２、６４の内角または含まれる角は、略同一であってもよい。底壁５０に垂直な支店から見た際、小部屋１４の側壁５２、５４、５６は、三角形の配置であり、開口５８は、三角形に幾何学形状を特徴とする。
【００２１】
壁５０、５２、５４、５６の内側の空間は、表面４８内に確定され、端部６５によって周囲が画定された開口５８を通じてアクセスされる。経口薬２５は、本体１２から開口５８を通じて出し入れされる。開口５８は、表面４８の面で決められた断面を有し、底壁５０は、開口５８の断面面積より若干小さい表面積を有する。面積の差を適合するために、コーナー６０、６２、６４は、表面４８から底壁５０に向けた方向に幅が先細になっている。
【００２２】
側壁５２、５４のそれぞれの内面間の距離または離間として測定される小部屋１４の幅は、コーナー６２、６４から、コーナー６０付近で最小幅になる領域３２の中心４５に向けて狭くなる。ある実施形態では、小部屋１４の幅は、コーナー６０からの距離が大きくなるにつれ、単調に小さくなってもよい。小部屋１４は、表面４８の面から底壁５０の内面まで測定される深さを含む。ある実施形態では、小部屋１４の深さは、底壁５０の内面における表面に亘って均一である。小部屋１４の深さおよび幅は、複数の異なるサイズおよび形状の経口薬２５を受容し保持するために選択される。様々な実施形態では、小部屋１４の深さは、１３ｍｍ〜１７ｍｍの範囲であり、小部屋１４の最大幅は、２９ｍｍ〜３３ｍｍの範囲であってよい。
【００２３】
側壁５６は、側壁５６から小部屋１４内に突出する小さな突起から成る入れ子分離機能６６を含んでもよい。使用前、複数の梱包容器１０の本体１２は、小部屋１４、１６、１８、２０、２２、２４、２６、２８が入れ子になった状態（すなわち、互いの中に収まる）で積み重ねられてもよい。入れ子分離機能は、本体１２がきつく入れ子になり、本体１２を積載から１つに分離することを困難にすることを防ぐ。ある実施形態では、各小部屋１４、１６、１８、２０、２２、２４、２６、２８の側壁５６が入れ子分離機能６６を含んでもよい。または、入れ子分離機能６６は、全ての小部屋１４、１６、１８、２０、２２、２４、２６、２８に設けられなくてもよい。入れ子分離機能６６は、通常、本体１２が形成される際に形成され、本体１２を形成するために使用される型の特徴を表す。
【００２４】
再び図１および図２を参照すると、小部屋１４、１６、１８、２０、２２、２４、２６、２８は、小部屋１４、１６、１８、２０、２２、２４、２６、２８をそれぞれ識別するために使用されるしるし７０がマークされてもよい。例示する実施形態では、各しるし７０は、独自の数字または、正の整数である。例示する実施形態のしるし７０は、１から小部屋４、１６、１８、２０、２２、２４、２６、２８の数、例示する実施形態では８つ（８）小部屋である、と同じ数までの範囲のアラビア数字である。例示する実施形態では、しるし７０の値は、小部屋４、１６、１８、２０、２２、２４、２６、２８の表面４９および外面６９が観察者に面するように配向された際に、時計方向に増える。しかしながら、本発明の実施形態は、しるしの値がこの観点から反時計方向に増えてもよういように、限定されるものではない。  別のラベル図表が、異なる英数字が小部屋４、１６、１８、２０、２２、２４、２６、２８をそれぞれ独自に識別するために、しるし７０に使用され得る。
【００２５】
例示する実施形態では、各しるし７０は、梱包容器１０の外側から可読である。しるし７０を備える文字の配向は、しるし７０が、小部屋４、１６、１８、２０、２２、２４、２６、２８の底壁５０の外面６９から見る際に反対にならないように選択可能である。異なる小部屋４、１６、１８、２０、２２、２４、２６、２８のしるし７０は、特有であるため、小部屋４、１６、１８、２０、２２、２４、２６、２８は、互いに対して視覚的に識別され、区別される。
【００２６】
しるし７０は、本体１２から除去でない恒久的な機能として本体１２の材料に物理的に形成され得る。しるし７０のこのタイプは、本体１２が形成される際に形成され、本体１２を形成するために使用される型に逆向きに存在してもよい。しるし７０は、底壁５０の内面６３の面に対して隆起していてもよいし、底壁５０の外面６９の面に対して凹んでいてもよい。しるし７０の寸法（例えば、線幅、文字高さ）は読み易さを促進するように選択される。または、しるし７０は、ステッカーまたはラベルとして、小部屋４、１６、１８、２０、２２、２４、２６、２８の表面６３、６９の１つ、好ましくは外面６９に付けられてよく、または、表面６３、６９の１つ、好ましくは外面６９にプリントされてもよい。
【００２７】
梱包容器１０の本体１２は、ポリ塩化ビニル（ＰＶＣ）などのポリマーから成る薄いシートから形成されてもよい。薄いシートから成るポリマーは、光透過に不透明、半透明、透明であってよい。シートは、成形または従来方式で加工されて小部屋１４、１６、１８、２０、２２、２４、２６、２８を製造する。例えば、本体１２は、薄い熱成形工程によって作られ、この工程で、熱可塑性ポリマーの薄い規格シートが、成形しやすい形成温度まで予熱され、型で特定形状に形成され、その剛性を取り戻すように冷却され、そして、形状にトリミングされる。本体１２を形成するために熱成形工程に使用される薄い規格シートは、ロール材料から熱形成工程に供給されてもよい。
【００２８】
図３、図４、および図４Ａを参照すると、カバー３０は、梱包容器１０の本体１２と略同一の幾何学形状および寸法を有する。カバー３０は、本体１２に取り付けられる表面８０と、本体１２に取り付けられない第２の表面８２とを有する。特に、カバー３０の表面８０は、本体１２の表面４８に取り付けられ、小部屋１４、１６、１８、２０、２２、２４、２６、２８を密封し、これにより、小部屋１４、１６、１８、２０、２２、２４、２６、２８内に経口薬２５を密封する。カバー３０が、本体１２に取り付けられると、側壁５２、５４、５６は、カバー３０の表面８０から離れる方向に突出する。梱包容器１０が組み立てられると、表面８２は観察者に可視であり、環境要素に露出される。
【００２９】
カバー３０の表面８０は、図４Ａに示すようにコーティング８４を含んでもよく、コーティング８４は、本体１２の肩部４４、ストリップ４６および中央領域３２にカバー３０を解放可能に取り付けるために使用される。カバー３０の表面８２は、カバー３０の厚みによって表面８０上のコーティング８４から分離される。第２の表面８２は、表面８０にコーティング８４を塗布する塗布工程の結果として存在し得る、無視できる量の散在する残留物以外に、コーティング８４内の物質を表面上有さない。別の変形には、表面４８の肩部４４の幅、ストリップ４６の幅、および中央領域３２の面積が、粘着レベルを設定するために調整され、これにより、カバー３０の取り外しに対する抵抗力が設定される。  
【００３０】
ある実施形態では、コーティング材８４は、恒久的に粘着性のある粘着剤から成り、開放カバー紙と併せて使用される。または、コーティング８４は、それ自体にのみ粘着性があるコールド・シール粘着剤からなる。しかしながら、この実施形態は、粘着連結に表面８０上に属するコールド・シール粘着剤を設けるために、適合するコールド・シール粘着剤と同一物で本体１２の表面４８をコーティングする必要がある。別の実施形態では、表面８０上のコーティング８４内の物質は、最終的な結合力に達するために高温かつ／または圧力をけられた状態で規定された時間の加熱される必要がある、熱活性粘着剤であってもよい。
【００３１】
梱包容器１０のカバー３０は、ポリプロピレンなどのポリマーと紙の混在物などの合成材料から成る薄シートから形成されてもよい。カバー３０は、経口薬の１つを本体１２の材料を通じて間接的にかけられる圧力への破壊抵抗力を提供する、厚みおよび剛性などの特性を有する材料から形成される。好ましくは、カバー３０は、小部屋１４、１６、１８、２０、２２、２４、２６、２８内の経口薬にかせられる負荷の広い範囲に亘って破壊されない。カバー３０の１枚のシート設計は、突き通せないシート（例えば紙）と、ブリスター本体と突き通せないシートとの間に配置される突き通せるシート（例えばホイル）と、を含み、また、突き通せないシートは、突き通せるシートを突き抜けるように薬剤を突き押すなかで突き通せるシートを明かすように除去されるブリスターパックとは異なる。
【００３２】
別の実施形態では、梱包容器１０のカバー３０は、剥がしホイルと、本体１２から剥がされる際互いから分離するように設計された２つの異なるラミネート層を含む剥がしホイルのための熱密封コーティングと、を備えてもよい。カードがシールされる際、熱密封コーティングの最外側層は、本体１２に恒久的に密封される。剥がしホイルが、本体１２から剥がされる際、熱密封コーティングの最内側層は剥がれて剥がしホイルを放出し、小部屋１４、１６、１８、２０、２２、２４、２６、２８のカバーを外し、その一方、最外側層の恒久的に密封された部分は、本体１２の表面４８上に維持される。
【００３３】
カバー３０に、破線、弱化線、穿孔した継ぎ目、および同類物はなく、そのことが、経口薬２５にかけられた力に対して押し通されるのをカバーする抵抗力を強める。カバー３０は、コーティング８４が、表面８０の全面を亘ってコーティングするように事前に塗布された粘着性（例えば加圧粘着剤）であるロール・ストックから形成されてもよい。ある実施形態では、ロール・ストックは、コーティング８４と、コーティング８４を覆う取り外し可能裏地またはリリース紙（図示せず）と、を有する加圧式ラベルストックであってもよい。
【００３４】
コーティング８４は、組成物質または材料の粘着姓を選択的に減少させるように変更されてもよい。特に、コーティング８４が粘着材から成る場合、ニスなどの弱める材料が、表面８０の全面領域に塗布（例えば印刷によって）されてよい。弱める材料は、コーティングの粘着性、また、これにより、カバー３０の本体１２の表面４８への粘着性を調整するために機能する。この調整機構は、本体１２からカバー３０を分離するようにかかってしまう力を制御するためにしようされてもよく、このことは、物理的力が弱くなった高齢者を考慮してもよい。
【００３５】
例示する実施形態では、弱める材料は、本体１２の小部屋１４、１６、１８、２０、２２、２４、２６、２８に対して開口５８の幾何学的形状（例えば三角形形状）およびパターンを合わせたコーティング８４の領域８６ａ〜８６ｈを形成するようにパターン化されてもよい。領域８６ａ〜８６ｈは、好ましくは、経口薬２５と接触する上で非粘着性または微細粘着性を有する。また、領域８６ａ〜８６ｈは、小部屋１４、１６、１８、２０、２２、２４、２６、２８の円形配列と整合する中心に円形配列において設けられる。従って、カバー３０のコーティング８４は、表面８２の表面に亘って異なる位置で異なるレベルの粘着力を有する。カバー３０が本体１２に結合される際（図５および図６）、領域８６ａ〜８６ｈは、本体１２の小部屋１４、１６、１８、２０、２２、２４、２６、２８それぞれに対して開口５８の場所と揃えて空間的に配置される。別の実施形態では、コーティング８４から成る材料の分配が、構成材料が領域８６ａ〜８６ｈのカバー３０の表面８０に塗布されないように制御されてもよい。
【００３６】
または図４に示すように、リリース紙が存在する場合、リリース紙は、セクション８５を画定するようにカバー３０上にある間に打ち抜かれてもよい。セクション８５は、リリース紙の残部が、本体１２へカバー３０を取り付ける準備において取り除かれた後、カバー３０上のコーティング８４に粘着されたままの残ることが可能である。例示する実施形態では、セクション８５は三角形形状を有する。セクション８５は、カバー３０が本体１２に取り付けられる際に、コーティング８４が本体１２のコーナー３４、３６、３８、４０に張り付くことを防ぐ機能がある。その結果、カバー３０の領域は、プル・タブ３９として機能する。例示する実施形態では、カバー３０の各コーナーは、リリース紙のセクション８５の１つを含む。しかしながら、別の実施形態では、セクション８５は、カバー３０の全てのコーナーに適用されてなくてもよい。例えば、２つのコーナーだけセクション８５の１つを含んでもよい。リリース紙のセクション８５は、カバー３０に取り付けられたままであり、カバー３０が少なくとも部分的に外されて、梱包容器１０から患者への受け渡しのために経口薬２５を放出する際に、カバー３０のコーナーでそれらそれぞれの場所から取り外されてもよい。
【００３７】
セクション８５と同様のリリース紙のセクション（図示せず）は、本体１２の小部屋１４、１６、１８、２０、２２、２４、２６、２８への開口５８の場所と関連する場所で打ち抜かれてもよい。ある実施形態では、リリース紙のこれらのセクションは、小部屋１４、１６、１８、２０、２２、２４、２６、２８への開口５８の形状およびパターンに適合し、よって、領域８６ａ〜８６ｈの似たまたは同じ外観を有するだろう。リリース紙のセクション８５の存在は、構成物質が、リリース紙のセクションが、コーティング８４への経口薬２５の粘着性を完全に除去するために、領域８６ａ〜８６ｈにおいて存在しないように、領域８６ａ〜８６ｈにおいてコーティング８４を完全に弱める、または、コーティング８４をパターン化する必要性を無くすだろう。また、リリース紙のセクション８５の存在は、表面積縮小機能４２の必要性をも無くす。リリース紙のセクションは、カバー３０に取り付けられたままであり、カバー３０が少なくとも部分的に外されて、梱包容器１０から患者への受け渡しのために経口薬２５を放出する際に、開口５８上のそれぞれの場所から取り外される。
【００３８】
カバー３０の表面８２は、情報を含むデータ欄９０、９２、９４、９６と、機械可読マーク９８、１００と、を含んでもよい。データ欄９０、９２、９４、９６および機械可読マーク９８、１００は、経口薬が処方された患者に特定するようにカスタマイズされ、従って、梱包容器１０、その経口薬の内容、および、患者に関する情報を含んでもよい。開口５８を露出するために取り外された際にカバー３０は損傷を受けないので、データ欄９０、９２、９４、９６および機械可読マーク９８、１００は、カバー３０の部分的な取り外しによって情報が阻害されることを考慮することなく表面８２上に提示され得る。
【００３９】
各データ欄９０、９２、９４、９６は、任意に数字およびアルファベット文字の組合せを有するシンプルテキストなどの人間に解読できるテキストと、人間により分類され理解され、かつ、読者へ情報を伝えるように文法的に構成され配置された付随的なシンボルとを含んでもよい。
【００４０】
データ欄９０内の人間に解読できるテキストは、患者名、誕生日、性別、電話番号、および住所などの患者に関する情報を含んでもよい。この情報は、梱包容器１０に関係する患者の名前が正しいことを確認するために使用されてもよい。
【００４１】
データ欄９２の人間が解読できるテキストは、梱包容器１０内の経口薬２５に関する情報を含んでもよい。データ欄９２内の情報は、小部屋番号、経口薬名、強度、形式、色、形状、およびサイズを、限定することなく含んでもよい。特に、データ欄９２は、小部屋１４、１６、１８、２０、２２、２４、２６、２８に保持される経口薬２５それぞれの英数字の識別（例えば、経口薬名）を有する本体１２上の固有のしるし７０に英数字表記に関連する登録を含んでもよい。
【００４２】
データ欄９４の人間が解読できるテキストは、処方薬を充填する薬剤師または施設に関連する情報を含んでもよい。データ欄９６の人間が解読できるテキストは、梱包容器内の経口薬２５がデータ欄９０で識別された患者に受け渡される（図８）決められた日時（すなわち投薬パス）を示す週日、カレンダー日付、および日時などの時間のしるしを含んでもよい。
【００４３】
機械可読マーク９８、１００は、明るい背景と、明るい背景にパターン化されて配置された暗い情報要素と、を含む、一次元バーコードまたは二次元バーコードを備えてもよい。機械可読マーク９８、１００は、機械可読マーク９８、１００を読み、画像化し、または、スキャンし、そのデータを、個々の梱包容器１０を追跡する、および／または認証するのに利用可能なデジタル形式に変換できる適切な電気機器を装備したスマートフォン、視覚システム、またはバーコードリーダ等の機械に利用される。機械可読マーク９８、１００は、１つ以上のデータ欄９０、９２、９４、９６から選択された情報を記号化してもよい。
【００４４】
データ欄９０、９２、９４、９６および機械可読マーク９８、１００は、表面８２に適用される従来の印刷技術または別のもの使用して印刷されてもよい。例えば、データ欄は、カバー３０が本体１２に組み立てられる前に表面８２に従来のプリンター（例えば、ラベル印刷機）で直接印刷されてもよい。
【００４５】
図５および図６を参照すると、カバー３０は本体１２と組み立てられて、経口薬２５（図８）を含む梱包容器１０を形成する。アセンブリは、経口薬２５が患者に受け渡されるまで、患者および販売店に分配される経口薬２５を確実に保持する。
【００４６】
実用において、を参照すると、本体１２の小部屋１４、１６、１８、２０、２２、２４、２６、２８は、薬局または別のタイプの充填施設で必要な経口薬２５（図８）が充填される。特に、各経口薬２５の１回分の投与が、図８に最良に示すように、対応する開口５８を通じて各小部屋１４、１６、１８、２０、２２、２４、２６、２８内に挿入され、そこ存在し得る。ある実施形態では、小部屋１４、１６、１８、２０、２２、２４、２６、２８の１つに挿入された各経口薬２５は、他の単位用量とは異なる単位用量である。別の実施形態では、２つ以上の小部屋１４、１６、１８、２０、２２、２４、２６、２８は、複数の単位用量の経口薬を含んでもよい。または、１つ以上の小部屋１４、１６、１８、２０、２２、２４、２６、２８は、複数の単位用量の同タイプの経口薬を含んでもよい。密封された状態において、本体１２の１つ以上の小部屋１４、１６、１８、２０、２２、２４、２６、２８が、充填されず空のままであってもよいことが理解されるだろう。各経口薬２５は、別の経口薬とは異なるものであってもよいし、あるいは、２つ以上の小部屋１４、１６、１８、２０、２２、２４、２６、２８が、同タイプの経口薬を含んでもよい。
【００４７】
小部屋１４、１６、１８、２０、２２、２４、２６、２８に経口薬２５が入れられた後、カバー３０が、図５および図６に最良に示すように本体１２に結合される。取り付け（例えば粘着接合）は、本体の表面４８とカバー３０の表面８０との間に配置されるコーティング８４によって実現する。密封状態において、梱包容器１０は、環境汚染物の進入および経口薬２５の損失に対して密封され閉じられている。密封状態において、小部屋１４、１６、１８、２０、２２、２４、２６、２８が、互いから隔離される。経口薬２５は、異なる経口薬２５の混入を防ぐために閉じ込められ隔離される。経口薬２５の隔離は、経口薬２５が隔離されず、一緒に混入するかもしれない従来の梱包容器と対照を成す。
【００４８】
梱包容器１０は、カバーされた小部屋１４、１６、１８、２０、２２、２４、２６、２８内に確保された経口薬２５と共に薬充填施設から別の場所（例えば患者の住居いる患者に送られる）に移送され得る。経口薬２５は、患者に投与されるまで各梱包容器１０内で貯蔵される。
【００４９】
患者の場所で、かつ、経口摂取の前に、経口薬２５は、小部屋１４、１６、１８、２０、２２、２４、２６、２８から充填に使用したのと同じ開口５８を通じて取り出され得る。そのために、梱包容器１０は、梱包容器１０内に含まれた経口薬が処方された患者、または、患者の介護人に利用可能である。患者または患者の介護人は、小部屋１４、１６、１８、２０、２２、２４、２６、２８間の隙間に下から挿入された指と、少なくともいくつかの小部屋１４、１６、１８、２０、２２、２４、２６、２８の表面６９に接触する手の平とで片手で梱包容器１０を掴むことができる。もう一方の手で、患者または患者の介護人は、コーナー・プル・タブ３９を形成する、表面積縮小機能４２またはリリース紙のセクション８５の存在による減少した粘着力を有するコーナー３４、３６、３８、４０の１つに結合されたカバー３０の一部を持ち上げる。患者は、コーナー・プル・タブ１００を形成するのに補助するモノを使ってもよい。
【００５０】
カバー３０の持ち上げられた部分は、患者または介護者が掴み、カバー３０を剥がすコーナー・プル・タブ３９に図７の片側矢印１０１によって図示される手動力をかける、コーナー・プル・タブ３９を画定する。剥がすのが完成した後、カバー３０は、本体からほんの部分的に離されていてもよい。または、カバー３０が本体１２から完全に取り外されるように離されてもよい。梱包容器１０を開けるこの高齢者に優しい方式は、従来のブリスターパックに見られるような、経口薬を押して蓋材を突き抜けるように圧力をかけることによるいかなる押し抜き作業も撤廃する。
【００５１】
カバー３０が剥がされた後、図８に最良に示すように、各小部屋１４、１６、１８、２０、２２、２４、２６、２８への入り口に開口５８が現れる。次いで、梱包容器１０は、経口薬２５が空になる。例えば、片手で本体１２を操作して経口薬２５をもう一方の手に出すことによって、全ての経口薬２５が小部屋１４、１６、１８、２０、２２、２４、２６、２８から取り出され得る。この薬取り出し工程は、何度も（例えば、異なる日および／または同日の異なる時間に）経口薬２５を分配するために患者によって再利用される従来にブリスターパックと対照を成す。
【００５２】
次いで、経口薬２５は患者に受け渡される。患者または患者の介護者は、再利用しない梱包容器１０を便利に使い捨てることができる。
【００５３】
患者は、そこに含まれる経口薬２５を摂取するために最小限の判断しか働かせる必要がないので、全中身（すなわち、小部屋１４、１６、１８、２０、２２、２４、２６、２８内の全ての経口薬２５）の摂取は、コンプライアンスを改善する。梱包容器１０の使用は、複合的な処方箋および受け渡し指示の複雑さからくる困惑する可能性を排除する。
【００５４】
梱包容器１０は、長期のメンテナンスケアの一部として毎月毎日患者に受け渡される経口薬２５を分配するのに最適である。高齢者または高齢の患者などの患者は、朝食、昼食、夕食、および就寝時間（または、朝、昼、夕方、および夜）、または特定の決まった時間（例えば、午前７時、正午、午後５時、午後１０時）など同日の異なる時点での投薬パスにおいて梱包容器１０内の経口薬２５を日々分配し摂取する。患者の介護者は、経口薬２５を分配するために梱包容器１０の使用と、経口摂取する患者への経口薬の受け渡しとに参加してもよい。各経口薬２５は、一日一度（ＱＤ）、一日二度（ＢＩＤ）、一日三度（ＴＩＤ）または一日四度（ＱＩＤ）の経口摂取によって患者に受け渡されてもよい。ある経口薬２５は、特定の投薬パス（就寝時間または朝食時のみ）における経口摂取によって患者に受け渡されるべきである。複数の１日用量および任意時間制限は、経口薬２５を特定の投薬パスにおける受け渡しが指定された特定の梱包容器１０に配分するために使用される要因になってもよい。必要に応じて（ＰＲＮ）患者に受け渡される別のタイプの経口薬は、個々の小部屋それぞれに別々にアクセス可能な別のタイプの梱包容器に供給されてもよい。
【００５５】
梱包容器１０は、施設外（例えば住居または居住施設）設置において患者に提供されてもよい。ある実施形態では、患者は、病院、リハビリセンター、または、介護施設などの移行期治療施設にいる間に、識別されてもよく、また移行期治療施設から出た後の自宅／住居配送サービスプログラムに参加するように要請されてもよい。経口薬２５は、患者の担当医から処方され、薬剤師の管理を有するサービスプログラムの提供者によって充填される。サービスプログラムの提供者は、梱包容器１０に経口薬２５を梱包容器し、患者の自宅へ梱包容器１０を送達する責任がある。別の実施形態では、患者は、直接的な広告によって、患者が所属する機関との同意によって、雇用する会社、またはかつて患者を雇用した会社との同意によって勧誘されてもよい。
【００５６】
または、梱包容器１０は、老人ホーム（ＡＬＦ）、高度看護施設（ＳＮＦ）、および、自立生活施設（ＩＬＦ）などのシニア住宅に在住する間における患者による使用をターゲットにしてもよい。高度看護施設では、救急処置、およびリハビリサービスが、各患者に提供される。合同の食事、娯楽、および活発シニア生活活動を有する複数家族環境の形をとる、独立生活施設に住む患者には、介護は通常提供されない。また、自立生活施設は複数家族環境の形をとるが、一般扶助が日常生活活動のために提供される。
【００５７】
図９〜図１０を参照すると、一群の梱包容器１０は、カートン１２０において患者に分配されてもよい。例えば、独自の投薬パスのための薬２５を含む梱包容器１０の１ヶ月分または１５日分が、カートン１２０内に配置され、例えば患者の住居での摂取のために患者に分配されてもよい。
【００５８】
カートン１２０は、端面パネル１２４、１２６および側面パネル１２８、１３０、１３２、１３４、１３６を有する外箱１１８を含む。パネル１２４、１２６、１２８、１３０、１３２、１３４、１３６は、様々な折り目によって結合されている。カートン１２０は、ブランクを折ること、かつ、接着結合などの従来に方法で折られた形状においてカートン１２０を固定することによって直立する。端面パネル１２６は、取り扱いおよび移動を容易にするためにその支持面から一番低い梱包容器１０を持ち上げる小さな基部を画定する。カートン１２０は、カートンを折る製造において共通して使用される板紙の任意のグレードまたはタイプの平板から製造され得る。カートン１２０を形成するのに使用されるブランクは、選定材料の平板から打ち抜かれてもよい。
【００５９】
カートン１２０は、カートン１２０内の梱包容器の使用に関する指示書または、薬剤パスの月および日時などの他の外から見える情報を含むことができる。例えば、情報は、所望に応じてテキストおよび／または図を含むことができる。さらに、カートン１２０は、仕入先、バーコード、または他のイラストの表示に関する情報を含んでもよい。情報の様々なアイテムが、任意の従来方法でカートン１２０の上または中に配置されてもよく、情報はカートン１２０の外面上に印刷可能である。
【００６０】
例示する実施形態では長方形構造を通常有する複合梱包容器は、カートン１２０を指示する表面に対して水平な配向でカートン１２０内の内部空間１３７内に配置される。
梱包容器１０は、１つの垂直なタワーまたは内部空間１３７内の列において積載され、隣接する梱包容器１０のカバー３０が梱包容器１０の１つの本体１２によって互いから離間されるように配向されてもよい。各梱包容器１０の本体１２が各カバー３０とカートン１２０の支持面との間に垂直に位置するように配向される。
【００６１】
取り外し可能スロットカバー１３８は、パネル１２８の１つ内に画定され、破線の穿孔によって画定される周囲を有する。スロットカバー１３８は、穿孔に沿って破ることによって取り外され、スロット１４０を現す。スロットカバー１３８は、充填後、物理的にスロット１４０を塞ぎ、これにより、梱包容器１０が、カートン１２０内に封入する。スロット１４０は、内部空間１３６にアクセスを形成する。スロット１４０は、指、特に人差し指と親指とを使って一番下の梱包容器１０を掴むためにアクセスを形成するフィンガー開口１４１を含む。患者、患者の介護者、または別の個人は、スロット１４０を通して、各梱包容器１０のカバー３０の表面８２上の少なくともデータ欄９６の識別しるしを視覚化してもよい。梱包容器１０は、梱包容器１０の直立したスタックの底から連続して、また、梱包容器１０の側端を掴むことによってスロット１４０を通して水平に取り出される。パネル１２６は、支持面上の一番下の梱包容器１０を持ち上げる斜面を画定してもよく、これによりカートン１２０からの取り出しを容易にする。各梱包容器１０が１つ１つカートン１２０の内部空間１３７から引き抜かれると、梱包容器１０のスタックは下方に下がり、カートン１２０から次に取り出された一番下の位置に別の梱包容器１０が再配置される。この動きはカートン１２０の梱包容器１０が無くなるまで継続する。
【００６２】
符号が図９の同様機能を意味し、別の実施形態における図１０を参照すると、梱包容器１０は、それぞれが数値的にカートン１２０（図９）と同一である複合カートン１４２、１４４、１４６、１４８一式に分配される。各カートン１４２、１４４、１４６、１４８は、データ欄９６のしるしによって識別されるように名目上の月の連続した日の同じ決められた時間に患者に受け渡されるように意図された内容物を有する梱包容器１０一式を含む、または収容してもよい。例えば、カートン１４２、１４４、１４６、１４８は、任意の丸一月の毎日４つの異なる時間（すなわち、投薬パス）での受け渡しのために経口薬２５の一月分の供給を十分に提供する、梱包容器１０のスタックそれぞれを含んでもよい。または、カートン１４２、１４４、１４６、１４８のような追加的カートン一式は、梱包容器１０の各スタックそれぞれを２つ以上のより低いスタックに分割するために利用されてもよく、これにより、特定の投薬パスそれぞれが２つ以上のカートンに含まれることになる。例えば、患者への梱包容器１０の１ヶ月分の供給を分配するために、カートン１４２、１４４、１４６、１４８一式が１日目〜１５日目の分の梱包容器１０を保持してもよく、カートン１４２、１４４、１４６、１４８の別の一式が１６日目〜３０日目分の梱包容器１０を保持してもよい。代表的な実施形態では、カートン１４２、１４４、１４６、１４８は、朝食、昼食、夕食、就寝時間など、１日のうち異なる時点で投薬パスを分け与えてもよい。しかしながら、別の実施形態では、梱包容器１０が、患者の薬剤ニーズに応じて投薬パスの異なる組み合わせおよび順列で保持される少数のカートンが分配される。例えば、たった２つの異なる投薬パスのための梱包容器１０に供給をそれぞれ保持するたった１対のカートン１４２、１４４が充填され分配される。別の例として、カートン１４２のみに梱包容器１０が充填され患者に分配されてもよい。
【００６３】
梱包容器１０を保持するカートン１４２、１４４、１４６、１４８は、商業配送または配達サービスを通じて毎月患者の住所に直接配達または運送されてもよい。カートン１４２、１４４、１４６、１４８は、配達中に保護目的で配送外箱内に含まれてもよい。
患者の処方は、新しい一郡の梱包容器１０を分配することによって毎月自動的に再充填されてもよい。注射、パッチ、軟膏、クリーム、点滴療法バッグなどの追加的な非単位用量の物品は、カートン１４２、１４４、１４６、１４８と一緒に患者に送られる別の外箱に含まれてもよい。
【００６４】
カートン１４２、１４４、１４６、１４８によって現される単一ユニットは、ユニットに区分的に組み込まれてもよい。集合体は、患者に単一の構造として分配されてもよい。
カートン１４２が立たされ、充填され、そして閉じられた後、コネクタ１５４がカートン１４２の上面でスロット１５５に挿入され、別のコネクタ１５６がカートン１４２の底面でスロット１５７内に挿入される。コネクタ１５４、１５６は、１つ以上のカートン１４２、１４４、１４６、１４８を形成するために使用されるブランクの取り外し可能部分として提供される。  好ましくは、コネクタ１５４、１５６それぞれの約半分が、カートン１４２の上面および底面でそれぞれのスロットから突出する。
【００６５】
カートン１４４が立たされ、充填され、そして閉じられた後、カートン１４２、１４４が隣り合うように並置される際に、挿入されたコネクタ１５４、１５６を有する、カートン１４２のパネルに対向するパネルの外面に、粘着剤が塗布される。好ましくは、カートン１４２、１４４は、各スロット１４０が同じ方向に向くように配向される。カートン１４４は、カートン１４２から突出するコネクタ１５４、１５６が、スロット１５５、１５７と同様である、カートン１４４の上面および底面のスロットに挿入される。カートン１４４は、カートン１４２、１４４の一緒に対になるパネルを粘着結合するためにカートン１４２に対して押圧される。コネクタ１５４、１５６は、集合体に剛性を加え、上下相対運動と前後相対運動に対してカートン１４２、１４４を強固に固定するように機能する。
対になったパネル上の粘着力も、集合体に剛性を加え、横方向の相対運動に対してカートン１４２、１４４を強固に固定するように機能する。この工程は、追加するカートン（カートン１４６および／またはカートン１４８）を足して集合体が完成するまで継続される。
【００６６】
別のタイプの機械加工可能な折り曲げカートンが、梱包容器１０の郡を貯蔵し、分配するために使用されてもよい。例えば、端面フラップまたは上面および底面フラップが接着されている、または、折り曲げられている、重なるタイプのカートンまたはノックダウン・カートンが使用されてもよい。
【００６７】
梱包容器１０に分配される経口薬の処方薬の充填は、ケアコーディネータなど、患者のインターフェースとして機能するアドバイザによって監督され、コーディネートされてもよい。例えば、１つ以上の処方薬が、梱包容器１０がカートン１２０において患者に分配された後に変更した場合、ケアコーディネータは、患者または患者の介護者に連絡して、影響を受けた経口薬の受け渡しを止めるようにその人に指示する。支持を受けた後、受け取った人は、経口薬２５の受け渡しを変更するこの支持を、どのように最良に採用するかを決めてもよい。１４、１６、１８、２０、２２、２４、２６、２８との関係と、カバー３０上のデータ欄９２のデータを有する小部屋１４、１６、１８、２０、２２、２４、２６、２８それぞれの内容のマッピングとを、影響のある経口薬の性急かつ簡単な識別を促進するために使用することができる。例えば、ケアコーディネータは、番号３のラベルが付けられた小部屋内に含まれる経口薬２５が摂取されるべきでなく、廃棄されるべきであることを患者または患者の介護者に伝えることができる。
【００６８】
本明細書の、「垂直」、「水平」、「上」、「下」、「上げる」、「下げる」などの用語への普及は、枠組みを確立するために限定することなく例としてなされる。種々の別の枠組みが、本発明の実施形態を説明する目的で同等に採用されてもよいことが、当業者には理解されるだろう。
【００６９】
要素が、別の要素に「取り付けられる」、「連結される」、または「結合される」と説明される際は、要素が別の要素に直接連結または結合されるか、または、１つ以上の介在要素が存在してもよい。一方、要素が「直接取り付けられる」、「直接連結される」、または「直接結合される」と説明される際は、介在要素は存在しない。要素が、別の要素に「間接的に取り付けられる」、「間接的に連結される」または「間接的に結合される」と説明される際は、少なくとも１つの介在要素が存在する。
【００７０】
本願で使用される専門用語は、特定に実施形態だけを説明することを目的とし、発明を限定することを意図しない。本願で使用されるように、単数形の表記は、文脈が明らかにそうでないことを示さない限り、同様に複数形を含むことを意図する。「備える」および「備えている」との用語は、本明細書内の使用では、述べられた特徴、数字、ステップ、操作、要素、および／または部品の存在を特定するが、１つ以上の別の特徴、数字、ステップ、操作、要素、部品および／またはその類の存在または追加を除外するものではないことがさらに理解されるだろう。さらに、用語「含む」、「有している」、「有する」、「具備する」、「から成る」、またはその変形は本明細書または特許請求の範囲で使用される範囲で、これらの用語が、用語「備える」と同様に包括的であることを意味する。
【００７１】
本発明が様々な実施形態の描写によって図示され、また、これらの実施形態はかなり詳細に説明されてきたが、添付する特許請求の範囲をこれらの詳細に制限すること、または、いかなる点においても限定すること本出願人の意図ではない。追加的な利点および変形は、当業者には容易に思われるだろう。従って、より広い側面における本発明は、示され説明された、特定の詳細、代表的な方法、および、図示された例に限定されない。よって、出願人の発明概念全体の精神または範囲から逸脱することなく、このような詳細から展開されてもよい。
【符号の説明】
【００７２】
１０  梱包容器
１２  本体
１４  小部屋
２５  経口薬
３０  カバー
【図１】
2012250770.tif 000003
【図１Ａ】
2012250770.tif 000004
【図１Ｂ】
2012250770.tif 000005
【図２】
2012250770.tif 000006
【図３】
2012250770.tif 000007
【図４】
2012250770.tif 000008
【図４Ａ】
2012250770.tif 000009
【図４Ｂ】
2012250770.tif 000010
【図５】
2012250770.tif 000011
【図６】
2012250770.tif 000012
【図７】
2012250770.tif 000013
【図８】
2012250770.tif 000014
【図９】
2012250770.tif 000015
【図１０】
2012250770.tif 000016
【図１１】
2012250770.tif 000017
【外国語明細書】
2012250770.tif 000018
2012250770.tif 000019
2012250770.tif 000020
2012250770.tif 000021
2012250770.tif 000022
2012250770.tif 000023
2012250770.tif 000024
2012250770.tif 000025
2012250770.tif 000026
2012250770.tif 000027
2012250770.tif 000028
2012250770.tif 000029
2012250770.tif 000030
2012250770.tif 000031
2012250770.tif 000032
2012250770.tif 000033
2012250770.tif 000034
2012250770.tif 000035
2012250770.tif 000036
2012250770.tif 000037
2012250770.tif 000038
2012250770.tif 000039
2012250770.tif 000040
2012250770.tif 000041
2012250770.tif 000042
2012250770.tif 000043
2012250770.tif 000044
2012250770.tif 000045
2012250770.tif 000046
2012250770.tif 000047
2012250770.tif 000048
2012250770.tif 000049
2012250770.tif 000050
2012250770.tif 000051
2012250770.tif 000052
2012250770.tif 000053
2012250770.tif 000054
2012250770.tif 000055
2012250770.tif 000056
2012250770.tif 000057